(57)【特許請求の範囲】
【請求項１】
回転軸とこの回転軸の外周に締結固定されたロ−タボスと、前記ロ−タボスに押さえバネなどを介して固定されたポリゴンミラ−と、前記ロ−タボスにロ−タフレ−ムまたはロ−タヨ−クを介して取り付けられた駆動用マグネツトを有するロ−タ組立と、前記ロ−タ組立と対向して設けられた金属ベ−ス板に噛み合わせ固定された前記ロ−タ組立を軸支する導電性材料からなるスリ−ブで構成され、金属ベ−ス板側の噛み合わせ部に前記金属板上に設けられたモ−タ制御回路のＧＮＤパタ−ンを設け、前記導電性材料からなるスリ−ブを介して金属ベ−ス板と前記金属ベ−ス板上に設けられたモ−タ制御回路のＧＮＤパタ−ンを電気的に接続することを特徴とするポリゴンミラ−スキヤナモ−タ。
【請求項２】
スリ−ブ内周部にヘリングボ−ン状の薄溝もしくはスパイラル状の薄溝を設けたラジアル動圧流体軸受を有する請求項１記載のポリゴンミラ−スキヤナモ−タ。
【請求項３】
スリ−ブは、銅系の合金を使用した請求項１または請求項２記載のポリゴンミラ−スキヤナモ−タ。
【発明の詳細な説明】
【０００１】
【産業上の利用分野】
本発明はＯＡ分野などに使用されるレーザビームプリンタなどの偏光走査などに利用されるポリゴンミラースキャナモータに関するものである。
【０００２】
【従来の技術】
近年、ポリゴンミラースキャナモータは、ダイキャストなどにより作成されたブラケットに非導電性材料からなる回路基板を取り付けた構造が主に使用されてきたが、レーザビームプリンタなどの普及にともない、より高品質・低コスト化が必要とされてきた現在、ダイキャスト製などのブラケットに代わって金属ベース板に直接制御回路部を設けた構造が増えつつあるが、金属ベース板では前記金属ベース板に滞留するノイズなどによる影響により十分な回転数精度が得られないという問題点があり、前記金属ベース板と金属ベース板上に設けられたモータ制御回路部のＧＮＤパターンを電気的に接続することが必要であった。このため種々の方法が考案されている。
【０００３】
以下に従来のポリゴンミラースキャナモータについて説明する。
図３は従来のポリゴンミラースキャナモータの断面図を示すものである。図３において、ベアリングまたは焼結含油合金製の軸受１６を保持する導電性材料からなる軸受ホルダー２ａに回転可能に軸支された回転軸３と前記回転軸３に締結固定されたロータボス４の上部にはポリゴンミラー５が押さえバネ６を介してＣ型止め輪７で固定され、前記ロータボス４の下部にはロータフレーム８が前記ロータボス４に噛み合わせ固定され、前記ロータフレーム８にはロータマグネット９が固定されている。前記ロータマグネット９と対向した位置に複数相を有したステータコイル１０が巻装されたステータコア１１を介して金属ベース板１に固定され、さらに回転時の位置検出のホール素子１２が設置されるとともに抜け止め１３が固定されている。
【０００４】
以上のように構成されたポリゴンミラースキャナモータについて、以下その動作について説明する。まず、ステータコイル１０に電流が流れロータマグネット９との間で駆動力が発生し、ホール素子１２でロータマグネット９の極性を検出し電流を切り替えることにより、回転軸３に締結固定されたロータボス４を介してポリゴンミラー５が回転を始め偏光走査を行う。なお、金属ベース板１に滞留するノイズなどにより、前記ポリゴンミラーの回転数精度へ影響を与えないために、金属ベース板１は導電性材料からなる軸受ホルダー２ａの噛み合わせ固定または、前記構成が取れない場合は、アースビスなどの使用により金属ベース板１と前記金属ベース板１上に設けられたモータ制御回路部のＧＮＤパターンを電気的に接続させている。
【０００５】
【発明が解決しようとする課題】
しかしながら上記従来の構成では、金属ベース板と前記金属ベース板上に設けられたモータ制御回路部のＧＮＤパターンを電気的に接続させるために、導電性材料からなる軸受ホルダーまたは、アースビスなどを使用しなければならないため、軸受構造および金属ベース板の構造が複雑になり高品質・低コスト化できないという問題点を有していた。
【０００６】
本発明は上記従来の問題点を解決するもので、金属ベース板と前記金属ベース板上に設けられたモータ制御回路部のＧＮＤパターンを簡単な構造で電気的に接続させかつ、高品質・低コストを実現したポリゴンミラースキャナモータを提供することを目的とする。
【０００７】
【課題を解決するための手段】
この目的を達成するために本発明のポリゴンミラースキャナモータは、この課題である金属ベース板と前記金属ベース板上に設けられたモータ制御回路部のＧＮＤパターンの電気的接続を簡単な構造で、高品質・低コスト化実現するため、導電性材料からなるスリーブと金属ベース板側の噛み合部に前記金属ベース板上に設けられたモータ制御回路部のＧＮＤパターンを設け、前記金属ベース板と前記導電性材料からなるスリーブを噛み合わせ固定することにより、前記金属ベース板と金属ベース板上に設けられた制御回路部のＧＮＤパターンを電気的に接続させた構成を有している。
【０００８】
【作用】
この構成によって、この課題である金属ベース板に滞留するノイズなどがポリゴンミラーの回転数精度へ影響を与えないために、金属ベース板とモータ制御部のＧＮＤパターンの電気的接続を、導電性材料からなる軸受ホルダーを挿入し噛み合わせ固定や前記軸受ホルダーを構成できない場合に使用されるアースビスなどを用いることなく、導電性材料からなるスリーブを挿入し、挿入後噛み合わせ固定するだけで金属ベース板と前記金属ベース板上に設けられたモータ制御部のＧＮＤパターンの電気的接続を得ることができるという優れたポリゴンミラースキャナモータを提供することができる。
【０００９】
【実施例】
（実施例１）
以下本発明の一実施例について、図面を参照しながら説明する。
【００１０】
図１（ａ）において、回転軸３は導電性材料からなるスリーブ２ｂの内径孔に回転可能に軸支されるとともにロータボス４が締結固定されている。ロータボス４の上部にはポリゴンミラー５が押さえバネ６を介してＣ型止め輪７で固定され、前記ロータボス４の下部にはロータフレーム８が前記ロータボス４に噛み合わせ固定され、前記ロータフレーム８にはロータマグネット９が固定されている。また金属ベース板１は導電性材料からなるスリーブ２ｂの挿入穴１４を有し、前記挿入穴１４の円周方向に配置されたモータ制御回路部のＧＮＤパターン１５上に前記導電性材料からなるスリーブ２ｂが噛み合わせ固定され、前記ロータマグネット９と対向した位置に、複数相を有したステータコイル１０が巻装されたステータコア１１を介して金属ベース板１に固定され、さらに回転時の位置検出のホール素子１２が設置されるとともに抜け止め１３が固定されている。
【００１１】
図１（ｂ）は、金属ベース板１の上面詳細図である。１４は導電性材料からなるスリーブ２ｂの挿入穴、１５はモータ制御回路部のＧＮＤパターンである。
【００１２】
以上のように構成されたポリゴンミラースキャナモータについて、その動作を説明する。まず、ステータコイル１０に電流が流れロータマグネット９との間で駆動力が発生し、ホール素子１２でロータマグネット９の極性を検出し電流を切り替えることにより、回転軸３に締結固定されたロータボス４を介してポリゴンミラー５が回転を始め偏光走査を行う。なお、金属ベース板１に滞留するノイズなどが、前記ポリゴンミラーの回転数精度へ影響を与えないために、導電性材料からなるスリーブ２ｂの挿入穴１４に前記導電性材料からなるスリーブ２ｂを挿入し、挿入後噛み合わせ固定することにより前記挿入穴１４の円周方向に配置されたモータ制御回路部のＧＮＤパターン１５と金属ベース板１は、前記導電性材料からなるスリーブ２ｂを介して電気的に接続することが可能となる。
【００１３】
以上のように本実施例によれば、金属ベース板１に滞留するノイズなどが、前記ポリゴンミラー５の回転数精度へ影響を与えないように、前記金属ベース板１とモータ制御回路部のＧＮＤパターン１５を導電性材料からなるスリーブ２ｂの挿入穴１４に前記導電性材料からなるスリーブ２ｂを挿入し、挿入後噛み合わせ固定することにより前記挿入穴１４の円周方向に配置されたモータ制御回路部のＧＮＤパターン１５と電気的に接続させることにより、金属ベース板１の構造を簡素化でき、作業が容易な高品質・低コスト化を実現したポリゴンミラースキャナモータを得ることができる。
【００１４】
【発明の効果】
以上のように本発明は、ポリゴンミラースキャナモータにおいて金属ベース板に滞留するノイズなどがポリゴンミラーの回転数精度へ影響を与えないために、金属ベース板と前記金属ベース板上に設けられたモータ制御回路部のＧＮＤパターンの電気的接続を回転軸を軸支する軸受にラジアル動圧流体軸受を使用することにより、
（１）軸受ホルダーやアースビスなどの部品が不要になり構成が簡単になる。
（２）上記構成の簡素化にともない、工数の低減などコストの削減が図れる。
という優れたポリゴンミラースキャナモータを実現できるものである。なお、スリーブは、一般的に銅系の合金が使用されるため、アルミなどで作られる軸受ホルダーなどに比べ導電性に優れ、ノイズ低減効果がさらに高まることはいうまでもない。
【図面の簡単な説明】
【図１】（ａ）本発明の一実施例におけるポリゴンミラースキャナモータの断面図
（ｂ）本発明の一実施例における金属ベース板の上面図
【図２】従来のポリゴンミラースキャナモータの断面図
【符号の説明】
１  金属ベース板
２ａ  軸受ホルダー
２ｂ  スリーブ
３  回転軸
４  ロータボス
５  ポリゴンミラー
６  押さえバネ
７  Ｃ型止め輪
８  ロータフレーム
９  ロータマグネット
１０  ステータコイル
１１  ステータコア
１２  ホール素子
１３  抜け止め
１４  挿入穴
１５  ＧＮＤパターン
１６  軸受
【図１】
0003674994.tif 000002
【図２】
0003674994.tif 000003